(57)【要約】本発明は、光学的平面が取付けられた側壁に取付けられる取付けキャップを有し、カメラシステムを囲う筐体を含むカメラ組立体を提供し、光学的平面は、カメラシステムが位置決めされた後、カメラ筐体に対して回転可能である。光学的平面は、筐体の円周方向のフランジ部分に取付けられる円周方向のシールを用いることで筐体に対して回転可能なドームであることが好ましい。シールは、断面がＳ字形状の連続的な円周方向の二層構造のシールであり、上記筐体の壁部分の円周方向のフランジ部分を含む第１の溝を含む第１の層と、上記ドームの壁の円周方向のフランジ部分を含む第２の溝を含む第２の層とを有することがより好ましい。
2004505559.tif 000002
【特許請求の範囲】
【請求項１】
光学的平面が取付けられた側壁に取付けられる取付けキャップを含み、カメラシステムを囲うカメラ筐体を有し、
上記光学的平面は、上記カメラシステムが位置決めされた後、上記筐体に対して回転可能であるカメラ組立体。
【請求項２】
光学的ドームを含む筐体を有し、
上記光学的ドームは、上記筐体の円周方向のフランジ部分に取付けられる円周方向のシールを用いることで上記筐体に対して回転可能であるカメラ組立体。
【請求項３】
上記シールは、断面がＳ字形状の連続的な円周方向の二層構造のシールであり、
上記シールは、上記筐体の壁部分の円周方向のフランジ部分を含む第１の溝を含む第１の層と、上記ドームの壁の円周方向のフランジ部分を含む第２の溝を含む第２の層とを有する請求項２記載のカメラ組立体。
【請求項４】
上記ドームは、上記シールの上記第１の溝において回転可能であり、上記第２の溝において略固定且つ不動である請求項３記載のカメラ組立体。
【請求項５】
上記ドームは、透明な窓を有する略不透明なドームであり、
上記ドームは、上記カメラ組立体の位置を上記透明な窓と位置合わせするために回転され得る請求項１記載のカメラ組立体。
【請求項６】
上壁、及び、光学的平面が取付けられた側壁に取付けられる取付けキャップを有し、カメラシステムを囲うカメラ筐体と、
上記カメラ筐体に取付けられ、熱エネルギーを反射及び／又はそらし、反射又はそらされていない熱エネルギーを放散させ、上記カメラ筐体を水分が入ることから保護するのに効果的な環境的囲い板と、
上記筐体の円周方向のフランジ部分に取付けられる円周方向のシールを用いることで上記筐体に対して回転可能な光学的ドームとを有するカメラ組立体。
【請求項７】
上記シールは、断面がＳ字形状の連続的な円周方向の二層構造のシールであり、
上記シールは、上記筐体の壁部分の円周方向のフランジ部分を含む第１の溝を含む第１の層レベルと、上記ドームの壁の円周方向のフランジ部分を含む第２の溝を含む第２の層とを有する請求項６記載のカメラ組立体。
【請求項８】
上記ドームは、上記シールの上記第１の溝において回転可能であり、上記第２の溝において略固定且つ不動である請求項７記載のカメラ組立体。
【請求項９】
上記ドームは、透明な窓を有する略不透明なドームであり、　上記ドームは、上記カメラ組立体の位置を上記透明な窓と位置合わせするために回転され得る請求項６記載のカメラ組立体。
【発明の詳細な説明】
【０００１】
本発明は、２０００年７月２８日に出願された仮出願第６０／２２１，３９９号の恩典を請求するものである。
【０００２】
［発明の分野］
本発明は、屋内用／屋外用監視機器及びシステムに係わり、より特定的には、半球の窓或いはドームを有する筐体を含む改善されたカメラ組立体に関わる。
【０００３】
［発明の背景］
閉回路監視機器は、よく確立されており、固定された位置のカメラ、及び、警備職員によって典型的には制御されているパン及びチルト機構に取付けられるズームレンズを含んでもよい。屋外では、通常カメラの筐体用に囲いが使用され、外観により、及び、カメラが広域を走査できるにも関わらずカメラ自体が簡単に可視でないことにより、このようなカメラにはドーム形の筐体が望ましい。典型的には、ドーム自体は、限定された域又はカメラが外の周辺を見ることを可能にさせる窓以外は不透明となるよう塗装されるか色が付けられる。
【０００４】
典型的な屋外用カメラの囲いにおいて、単一の主筐体部が利用され、その上部はパイプに接続されている。電気接続は、一般的に、主電源からパイプを通じて筐体の中に送られる。更に、半球ドームと、カメラ電源、カメラ本体、レンズ、パン及びチルト機構、並びに、制御電子機器のような更なる内部構成要素とは、単一の筐体部の内側に取り外し可能に取付けられる。このようなカメラ組立体は、損傷を受け、湿気及び雨、極端な温度、更には、認可されていないいじりからカメラを保護する手段を必要とする。例えば、幾つかの従来の筐体は、雨又は他の水分が蓄積し筐体の円錐側に沿ってドームまで流れることを可能にする。しかしＩＰＧＳ及びＮＥＭＡ４の評価を有する多数の警備用ドームの筐体がある、つまり、中でも水及び埃による損傷から内部電子構成要素を保護する。これら評価されたドームは、可動部分を有さない。従って、窓をカメラと位置合わせすることが必要或いは望まれる全ての場合にドームを解体し取り外すことが必要となる。
【０００５】
［発明の要約］
本発明は、回転可能なドームを有するカメラ組立体を提供することを目的とする。
【０００６】
本発明は、回転可能なドームを有し、ＩＰＧＳ及びＮＥＭＡ４評価をみなす基準を満たすカメラ組立体を提供することを更なる目的とする。
【０００７】
本発明は、水及び埃による損傷に対して保護を与える可動ドームを有するカメラ組立体を提供することを更なる目的とする。
【０００８】
本発明の上記及び他の目的は、回転可能且つ可動なドーム、好ましくは透明な窓を有する略不透明なドームを有する筐体を含みカメラ組立体によって実現される。ドームは、シール、好ましくは、断面がｓ字形状である連続的な円周方向の二層構造のシールであるシールを用いて回転可能であり、上記シールは、上記筐体の壁部分の円周方向のフランジ部分を含み好ましくは包む第１の溝を画成し含む第１の層と、上記ドームの壁の円周方向のフランジウ分を含み好ましくは包む第２の溝を画成し含む第２の層とを有し、ドームはシールの第１の溝において回転可能且つ可動であり、好ましくは、第２の溝において略固定されており不動であることが好ましい。
【０００９】
［好ましい実施例の詳細な説明］
図１Ａ及び図１Ｂを参照するに、技術において周知であるように、カメラ或いはレンズ構成要素（電子機器含）１５０を囲うカメラ筐体１３０を形成するために光学的平面或いはドーム１３５に取付けられる側壁１０９、１２６に取付けられた取付けキャップ１４０を有するカメラ組立体１０が示される。
【００１０】
所望の場合、カメラ筐体１３０は、熱エネルギーをそらし、反射されていない熱エネルギーを散らし、水及び／又は他の水分からカメラを保護するのに効果的であり、カメラが高い周囲温度で日光の下で操作されるときでも高レベルの熱放散を可能にする環境囲い板１９０を有してもよい。図１Ｂに示す本発明の第１の実施例によると、環境的囲い板１９０は略完全にカメラ筐体１３０を囲い、下セクション１００及び上セクション１２０を有する。囲い板１９０の下セクション１００は、カメラ筐体１３０に対して放射熱エネルギーへの保護を提供し、その表面にコーティングを有してもよく、或いは、太陽或いは任意の他の熱体からの放射熱エネルギーの殆どを反射又はそらすような放射率であるよう表面自体が特定されてもよい。適切なコーティングは、ポリエステル、ポリウレタン、エポキシ、透明な金属化ポリカーボネートコーティング、様々な透明材料中のアルミニウム箔、冷間圧延鋼、粉体コーティング等を含む。
【００１１】
筐体１３０は、上部分１１５及び側壁１０９を含む下部分１１０を有する。図２乃至図４を参照すると、透明な窓１３６及び側壁１３７を有する、光学的平面又は略不透明ドーム１３５は、シールＳを用いて筐体の下部分１１０の筐体の側壁１０９に可動式に取付けられ、このシールは、断面がＳ字形状の連続的な円周方向の二層構造のシールであり、上記シールは、上記筐体の下部分１１０の壁部分の円周方向のフランジ部分３を含み且つ好ましくは包む第１の溝２を画成し且つ含む第１の層１と、上記ドーム１３５の壁１３７の円周方向のフランジ部分６を含み且つ好ましくは包む第２の溝５を画成し且つ含む第２の層４とを有し、ドームがシールＳの第１の溝２において回転可能且つ可動であり、好ましくは、シールの第２の溝５において略固定されており不動である。
【００１２】
本発明のカメラ組立体は、技術において公知の通り、吊り下げ式取付け又は壁取付けとして取付けられてもよい。壁取付け或いは吊り下げ式取付けが確立された後、筐体が開けられ、カメラが筐体の中に取付けられる。一旦カメラが取付けられると、監視といった一般的な分野に向けられ、筐体が閉じられる。ドームは、カメラを隠すのに内側から覆われる。本発明に従って一旦筐体が閉じられると、ドームの視野領域がカメラの位置と一致するように位置決めするためにドームが回転されてもよい。従来では、ドーム窓１３６の位置とカメラ１１０の位置とを互いに対して任意に調節するために筐体からドームを解体し、再組立することが必要であった。
【００１３】
屋外使用のためのカメラ組立体は、工業規格ＩＰ６５レーティングを満たすか否かを判断するために試験される。この規格を満たすためには、ある期間にわたって組立体が加圧水及び埃で噴霧される試験を含む一連の試験が実施される。この試験の基準を満たさない組立体は、屋外で使用されるとみなされない。本発明のカメラ組立体は、この試験に大いに適し容易に満たすことが分かった。
【００１４】
屋外の監視カメラの場合において本発明は便宜上説明されたが、本発明がこれらの実施例に制限されないことは理解すべきである。本発明のカメラ組立体は、水分及び熱又は埃から筐体の中身を保護することが必要な全ての情況、例えば、閉照明、電子機器、スイッチのような他の監視機器、マルチプレクサ等において使用されてもよい。更に、本発明は、その精神及び範囲又は重要な特徴から逸脱すること無く他の特定の形態に含まれてもよく、本願で開示する実施例はその好ましい実施例に過ぎない。
【図面の簡単な説明】
【図１Ａ】本発明のカメラ組立体の第１の実施例の外観を示す図である。
【図１Ｂ】線Ａ−Ａについて取られた図１Ａに示される実施例の垂直方向の断面図である。
【図２】図１のドームの拡大断面図である。
【図３】図１Ｂに示すセクションＸの拡大図である。
【図４】図１のドームの上正面図である。
【国際公開パンフレット】
2004505559.tif 000003
2004505559.tif 000004
2004505559.tif 000005
2004505559.tif 000006
2004505559.tif 000007
2004505559.tif 000008
2004505559.tif 000009
2004505559.tif 000010
2004505559.tif 000011
2004505559.tif 000012
【国際公開パンフレット（コレクトバージョン）】
2004505559.tif 000013
【国際公開パンフレット（コレクトバージョン）】
2004505559.tif 000014
【国際調査報告】
2004505559.tif 000015
2004505559.tif 000016
2004505559.tif 000017
2004505559.tif 000018